(57)【要約】【課題】再生したコンテンツの記憶状態によらず、過去に遡って時系列に確認できる表示制御装置、表示制御方法及び表示制御プログラムを提供すること。【解決手段】端末１０は、表示部１２と、コンテンツに対するユーザの操作を検知し、少なくとも、再生、購入、試し再生、レビュー書き込み、区分フラグ付けのいずれかを含む当該操作の種別及び操作対象のコンテンツの情報を対応付けた履歴情報を、履歴情報記憶部２３に記憶させる履歴処理部１３と、履歴情報を抽出する抽出部１４と、抽出された履歴情報を時系列に表示部１２に表示させると共に、当該履歴情報それぞれに対応したコンテンツに関する処理の指示要素を表示させる制御部１５と、を備える。指示要素は、前記コンテンツの記憶状態に応じて、処理種別が変更される。【選択図】図１
2015179324.tif 000002
【特許請求の範囲】
【請求項１】
表示部と、
コンテンツに対するユーザの操作を検知し、少なくとも、再生、購入、試し再生、レビュー書き込み、区分フラグ付けのいずれかを含む当該操作の種別及び操作対象のコンテンツの情報を対応付けた履歴情報を、所定の記憶部に記憶させる履歴処理部と、
前記記憶部から前記履歴情報を抽出する抽出部と、
前記抽出部により抽出された履歴情報を時系列に前記表示部に表示させると共に、当該履歴情報それぞれに対応した前記コンテンツに関する処理の指示要素を表示させる制御部と、を備え、
前記指示要素は、前記コンテンツの記憶状態に応じて、処理種別が変更される表示制御装置。
【請求項２】
前記処理種別は、未購入のコンテンツに対しては購入処理を、購入後に自装置に未記憶のコンテンツに対してはダウンロード処理を、自装置に記憶済みのコンテンツに対しては再生処理が選択される請求項１に記載の表示制御装置。
【請求項３】
表示部に対するコンピュータの表示制御方法であって、
前記コンピュータがコンテンツに対するユーザの操作を検知し、少なくとも、再生、購入、試し再生、レビュー書き込み、区分フラグ付けのいずれかを含む当該操作の種別及び操作対象のコンテンツの情報を対応付けた履歴情報を、所定の記憶部に記憶させる履歴処理ステップと、
前記コンピュータが前記記憶部から前記履歴情報を抽出する抽出ステップと、
前記コンピュータが前記抽出ステップにおいて抽出された履歴情報を時系列に前記表示部に表示させると共に、当該履歴情報それぞれに対応した前記コンテンツに関する処理の指示要素を表示させる制御ステップと、を含み、
前記指示要素は、前記コンテンツの記憶状態に応じて、処理種別が変更される表示制御方法。
【請求項４】
表示部をコンピュータに制御させるための表示制御プログラムであって、
前記コンピュータがコンテンツに対するユーザの操作を検知し、少なくとも、再生、購入、試し再生、レビュー書き込み、区分フラグ付けのいずれかを含む当該操作の種別及び操作対象のコンテンツの情報を対応付けた履歴情報を、所定の記憶部に記憶させる履歴処理ステップと、
前記コンピュータが前記記憶部から前記履歴情報を抽出する抽出ステップと、
前記コンピュータが前記抽出ステップにおいて抽出された履歴情報を時系列に前記表示部に表示させると共に、当該履歴情報それぞれに対応した前記コンテンツに関する処理の指示要素を表示させる制御ステップと、を実行させ、
前記指示要素は、前記コンテンツの記憶状態に応じて、処理種別が変更される表示制御プログラム。
【発明の詳細な説明】
【技術分野】
【０００１】
本発明は、履歴情報を表示する表示制御装置、表示制御方法及び表示制御プログラムに関する。
【背景技術】
【０００２】
従来、音楽プレイヤ等のアプリケーションにおいて、再生した楽曲が履歴として記憶され、アクセスを容易にする技術が用いられている。
また、コンテンツを再生する通信端末では、ネットワーク上に公開されているコンテンツを購入、ダウンロード又はストリーミング等によって一部又は全部を再生できる。
このような状況において、ユーザが保持するコンテンツ及びＷｅｂ上の配信コンテンツを混合して順次再生する技術が提案されている（例えば、特許文献１参照）。
【先行技術文献】
【特許文献】
【０００３】
【特許文献１】特開２０１０−２６２１２０号公報
【発明の概要】
【発明が解決しようとする課題】
【０００４】
しかしながら、例えば配信コンテンツが試聴用の楽曲等、ユーザが所有する前のコンテンツだった場合には、自端末又はクラウド上にコンテンツ情報が記憶されないため、ユーザは、過去に再生した楽曲を振り返って確認することは難しかった。
【０００５】
本発明は、再生したコンテンツの記憶状態によらず、過去に遡って時系列に確認できる表示制御装置、表示制御方法及び表示制御プログラムを提供することを目的とする。
【課題を解決するための手段】
【０００６】
本発明に係る表示制御装置は、表示部と、コンテンツに対するユーザの操作を検知し、少なくとも、再生、購入、試し再生、レビュー書き込み、区分フラグ付けのいずれかを含む当該操作の種別及び操作対象のコンテンツの情報を対応付けた履歴情報を、所定の記憶部に記憶させる履歴処理部と、前記記憶部から前記履歴情報を抽出する抽出部と、前記抽出部により抽出された履歴情報を時系列に前記表示部に表示させると共に、当該履歴情報それぞれに対応した前記コンテンツに関する処理の指示要素を表示させる制御部と、を備え、前記指示要素は、前記コンテンツの記憶状態に応じて、処理種別が変更される。
【０００７】
前記処理種別は、未購入のコンテンツに対しては購入処理を、購入後に自装置に未記憶のコンテンツに対してはダウンロード処理を、自装置に記憶済みのコンテンツに対しては再生処理が選択されてもよい。
【０００８】
本発明に係る表示制御方法は、表示部に対するコンピュータの表示制御方法であって、前記コンピュータがコンテンツに対するユーザの操作を検知し、少なくとも、再生、購入、試し再生、レビュー書き込み、区分フラグ付けのいずれかを含む当該操作の種別及び操作対象のコンテンツの情報を対応付けた履歴情報を、所定の記憶部に記憶させる履歴処理ステップと、前記コンピュータが前記記憶部から前記履歴情報を抽出する抽出ステップと、前記コンピュータが前記抽出部により抽出された履歴情報を時系列に前記表示部に表示させると共に、当該履歴情報それぞれに対応した前記コンテンツに関する処理の指示要素を表示させる制御ステップと、を含み、前記指示要素は、前記コンテンツの記憶状態に応じて、処理種別が変更される。
【０００９】
本発明に係る表示制御プログラムは、表示部をコンピュータに制御させるための表示制御プログラムであって、前記コンピュータがコンテンツに対するユーザの操作を検知し、少なくとも、再生、購入、試し再生、レビュー書き込み、区分フラグ付けのいずれかを含む当該操作の種別及び操作対象のコンテンツの情報を対応付けた履歴情報を、所定の記憶部に記憶させる履歴処理ステップと、前記コンピュータが前記記憶部から前記履歴情報を抽出する抽出ステップと、前記コンピュータが前記抽出部により抽出された履歴情報を時系列に前記表示部に表示させると共に、当該履歴情報それぞれに対応した前記コンテンツに関する処理の指示要素を表示させる制御ステップと、を実行させ、前記指示要素は、前記コンテンツの記憶状態に応じて、処理種別が変更される。
【発明の効果】
【００１０】
本発明によれば、ユーザは、再生したコンテンツの記憶状態によらず、過去に遡って時系列に確認できる。
【図面の簡単な説明】
【００１１】
【図１】実施形態に係る履歴管理システムの構成を示す図である。
【図２】実施形態に係る表示画面の一例を示す図である。
【図３】実施形態に係る表示制御処理を示すフローチャートである。
【発明を実施するための形態】
【００１２】
以下、本発明の実施形態の一例について説明する。
図１は、本実施形態に係る履歴管理システム１の構成を示す図である。
【００１３】
本実施形態の履歴管理システム１は、ユーザが操作する端末１０（表示制御装置）と、ストアコンテンツ記憶部２１と、保有コンテンツ記憶部２２と、履歴情報記憶部２３とを備える。
端末１０は、携帯電話機、スマートフォン、タブレット端末、ＰＣ等、通信機能及びコンテンツ再生機能を有する情報処理端末である。端末１０は、ストアコンテンツ記憶部２１、保有コンテンツ記憶部２２及び履歴情報記憶部２３と所定のネットワークを介して接続され、複数のコンテンツに対する操作履歴等を取得して表示する。
【００１４】
端末１０が扱うコンテンツは、例えば、楽曲、動画、電子書籍等を含み、ユーザ操作に応じて購入又は無償でダウンロードして端末１０又はクラウド上に保存される。また、これらのコンテンツは、購入又はダウンロードの前に、一部又は全部を試し再生（試聴、一部表示等）できる。以下、一例として、コンテンツが楽曲であるものとして説明する。
【００１５】
ストアコンテンツ記憶部２１は、購入又は試聴可能なコンテンツの情報を記憶している。保有コンテンツ記憶部２２は、ユーザが購入したコンテンツの情報を記憶している。履歴情報記憶部２３は、ユーザによるコンテンツへの操作履歴情報を記憶している。
【００１６】
端末１０は、記憶部１１と、表示部１２と、履歴処理部１３と、抽出部１４と、制御部１５とを備える。
【００１７】
記憶部１１は、ハードウェア群を端末１０として機能させるための各種プログラム、及び各種データ等の記憶領域であり、ＲＯＭ、ＲＡＭ、フラッシュメモリ又はハードディスク（ＨＤＤ）等であってよい。具体的には、記憶部１１は、本実施形態の各機能を端末１０に実行させるための表示制御プログラム、及びネットワーク等から取得したコンテンツ情報等を記憶する。
【００１８】
表示部１２は、液晶ディスプレイ又は有機ＥＬディスプレイ等の表示デバイスを含み、ユーザから入力を受け付けるための画面、又は端末１０の演算処理結果等を出力する。表示部１２は、タッチパネル等の入力デバイスを含んでいてもよい。本実施形態においては、後述の表示制御処理により、履歴情報、及び購入又はダウンロード等を実行する各種処理画面が表示される。
【００１９】
履歴処理部１３は、記憶部１１、ストアコンテンツ記憶部２１又は保有コンテンツ記憶部２２に記憶されている複数のコンテンツのいずれかに対するユーザの操作を検知し、この操作の種別及び操作対象のコンテンツの情報を対応付けた履歴情報を、履歴情報記憶部２３に記憶させる。
操作の種別は、少なくとも、再生、購入、試聴、レビュー書き込み、区分フラグ付け（気になる）のいずれかを含む。
【００２０】
抽出部１４は、履歴情報記憶部２３から履歴情報を抽出する。
制御部１５は、抽出部１４により抽出された履歴情報を、時系列に表示部１２に表示させる。
【００２１】
制御部１５は、履歴情報と共に、コンテンツに関する処理の指示要素を表示する。
指示要素は、例えば、再生、購入又はダウンロード等の処理画面へ遷移させるボタンであり、コンテンツの記憶状態に応じて、処理種別が変更される。
具体的には、処理種別は、未購入のコンテンツに対しては購入処理を、購入後に端末１０に未記憶のコンテンツに対してはダウンロード処理を、端末１０に記憶済みのコンテンツに対しては再生処理が選択される。
【００２２】
図２は、本実施形態に係る表示画面の一例を示す図である。
履歴表示領域３０には、試聴又は購入等の操作の種別３１が時系列で１方向に（例えば、古い順に下から上へ）一覧表示される。
【００２３】
各操作に対しては、楽曲の属性情報として、例えば、ジャケットの画像３２、タイトル及びアーティスト名３３、日時３４等が表示される。
さらに、この過去に操作した楽曲に対して、それぞれ再生、購入又はダウンロードのいずれかの処理画面へ遷移するボタン３５が配置されている。
【００２４】
また、画面には、複数種類の絞り込みボタン群４０が配置されている。これらは、例えば、全ての履歴、購入履歴、再生履歴、レビュー履歴、試聴履歴等であり、特定の種類の履歴情報に絞り込んで表示させるために使用される。
【００２５】
図３は、本実施形態に係る表示制御処理を示すフローチャートである。
本処理は、端末１０が履歴表示の指示を受け付けたことに応じて開始される。
【００２６】
ステップＳ１において、抽出部１４は、履歴情報記憶部２３から、ユーザが過去にコンテンツに対して操作した履歴情報を取得する。
【００２７】
ステップＳ２において、制御部１５は、ステップＳ１において取得した履歴情報を、時系列に一覧表示する。
【００２８】
ステップＳ３において、端末１０は、ステップＳ２で表示された履歴情報の中から、いずれかのコンテンツが選択されたか否かを判定する。この判定がＹＥＳの場合、処理はステップＳ４に移り、判定がＮＯの場合、ステップＳ３の判定を繰り返す。
【００２９】
ステップＳ４において、端末１０は、ステップＳ３で選択されたコンテンツが購入済みであるか否かを判定する。この判定がＹＥＳの場合、処理はステップＳ５に移り、判定がＮＯの場合、処理はステップＳ７に移る。
【００３０】
ステップＳ５において、端末１０は、ステップＳ３で選択されたコンテンツが端末に記憶されているか否かを判定する。この判定がＹＥＳの場合、処理はステップＳ６に移り、判定がＮＯの場合、処理はステップＳ８に移る。
【００３１】
ステップＳ６において、端末１０は、ステップＳ３で選択された端末１０に記憶済みのコンテンツを再生する。
【００３２】
ステップＳ７において、端末１０は、ステップＳ３で選択された未購入のコンテンツを購入するための画面へ遷移させる。
【００３３】
ステップＳ８において、端末１０は、ステップＳ３で選択された購入済みのコンテンツをダウンロードするための画面へ遷移させる。
【００３４】
なお、端末１０は、制御部１５により遷移先が異なる画面遷移ボタンが選択的に配置された場合、ステップＳ４及びＳ５の判断を省略して画面遷移を行ってもよい。
【００３５】
本実施形態によれば、端末１０は、コンテンツに対する操作の履歴を、購入済みデータ又は試聴データ等の記憶状態を問わず、時系列に表示できる。これにより、ユーザは、再生したコンテンツを、記憶状態によらず過去に遡って時系列に確認できる。
【００３６】
また、端末１０は、履歴情報と共に、対象コンテンツの記憶状態に応じて購入処理、ダウンロード処理又は再生処理等、実行され得る処理を判断して、処理画面へ容易に遷移させるための表示制御を行う。したがって、ユーザの利便性が向上すると共に、未購入のコンテンツを購入させる等のきっかけとなり得る。
【００３７】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００３８】
履歴情報記憶部２３は、端末１０の外部のクラウドに設けられる構成として説明したが、これには限られず、端末１０が有していてもよい。
【００３９】
端末１０による表示制御方法は、ソフトウェアにより実現される。ソフトウェアによって実現される場合には、このソフトウェアを構成するプログラムが、情報処理装置（端末１０）にインストールされる。また、これらのプログラムは、ＣＤ−ＲＯＭのようなリムーバブルメディアに記録されてユーザに配布されてもよいし、ネットワークを介してユーザのコンピュータにダウンロードされることにより配布されてもよい。
【符号の説明】
【００４０】
１  履歴管理システム
１０  端末（表示制御装置）
１１  記憶部
１２  表示部
１３  履歴処理部
１４  抽出部
１５  制御部
２１  ストアコンテンツ記憶部
２２  保有コンテンツ記憶部
２３  履歴情報記憶部
【図１】
2015179324.tif 000003
【図２】
2015179324.tif 000004
【図３】
2015179324.tif 000005